(57)【要約】  本発明は，照明システム10a，10bが所望の照明効果を作り出すよう制御するための照明設定情報を提供する方法に関する。当該方法は，リモートサーバ24中  ―  この照明システムに関するデータを受信することと，  ―  所望の照明効果に関する照明設定情報を生成し，受信した照明システムのデータに従って適応化させることと，  ―  当該適応化された照明設定情報をリモートサーバから照明システムと送ることとを含む。このように，照明システムが照明設定情報を受信すると，この照明設定情報は指定の照明システムに従って適応化され，これにより所望の照明効果を正しく作り出すことが出来る。この照明設定情報は，ポストダウンロードによる調整をすぐには必要としない。本発明は，対応するリモートサーバにも関する。
2009507335.tif 000002
【特許請求の範囲】
【請求項１】
リモートサーバにおいて照明システムに関するデータを受信することと，
前記リモートサーバにおいて，所望の照明効果に関する，前記受信した照明システムのデータに従って適応化された照明設定情報を生成することと，
前記生成された照明設定情報を，前記リモートサーバから前記照明システムへと送ることとを含む，所望の照明効果を作り出すように照明システムを制御するための照明設定情報を提供するための方法。
【請求項２】
前記照明システムのデータが，照明システムのセットアップ，照明システムの環境，及び利用者の嗜好の中の少なくとも一つである，請求項１に記載の方法。
【請求項３】
前記照明システムのデータは，前記リモートサーバに接続されたデータベースに記憶される，請求項１に記載の方法。
【請求項４】
前記照明システムのデータは，前記照明システム及びリモート機器の一つから，通信ネットワークを介して前記リモートサーバ又は前記データベースへと送られる，請求項１ないし３の何れか一項に記載の方法。
【請求項５】
前記照明システムへダウンロードされた前記照明設定情報によって作り出された前記照明効果を，利用者が下見することが出来，
利用者が前記照明設定情報を承認するか又は否認することを許容することによって，承認するか否認するかという前記利用者の嗜好が記録される，請求項２に記載の方法。
【請求項６】
ダウンロードされた前記照明設定情報を利用者が手動で調節するのを許容することによって，この手動調節が前記利用者の嗜好として記録される，請求項２に記載の方法。
【請求項７】
前記照明システムは複数の光源，好ましくは複数の照明用ダイオード光源を有する，請求項１に記載の方法。
【請求項８】
照明設定情報が生成され，プリセットされた予定表に従って前記照明システムへと送られる，請求項１に記載の方法。
【請求項９】
所望の照明効果に対する利用者から受信されたリクエストに基づいて，前記照明設定情報が生成される，請求項１に記載の方法。
【請求項１０】
前記照明設定情報は，以前に受信した照明設定情報に基づいて生成され，この以前に受信した照明設定情報は前記所望の照明効果に関しているが，しかし異なる照明システムデータに従って適応化されている，請求項１に記載の方法。
【請求項１１】
前記照明システムに関するデータを受信する手段と，
前記所望の照明効果に関し，前記受信した照明システムデータに従って適応化された照明設定情報を生成する手段と，
前記生成された照明設定情報を前記照明システムへと送る手段とを有する，所望の照明効果を生成するように前記照明システムを制御するための前記照明設定情報を提供するリモートサーバ。
【請求項１２】
前記照明システムデータを蓄積するデータベースを更に含む，請求項１１に記載のリモートサーバ。
【発明の詳細な説明】
【技術分野】
【０００１】
本発明は，所望の照明効果を作り出すように照明システムを制御するための照明設定情報を提供する方法，及び装置，即ちリモートサーバに関する。
【背景技術】
【０００２】
例えば照明用ダイオードを有する照明システムは様々な目的のために様々なアプリケーションで使われることが出来る。照明システムは，例えば家庭で部屋の中の雰囲気のある照明効果若しくはイルミネーションを作り出すために，又はクラブでディスコ照明として用いられることが出来る。別のアプリケーションでは，照明システムは電話の受信又はメッセージの受領のような特定のイベントを表示するために携帯電話で使われることが出来る。
【発明の開示】
【発明が解決しようとする課題】
【０００３】
照明システムは，複数の光源を有するかなり総合的で複雑なものである。これゆえ，理路整然とした及び/又は組織的な照明効果を作り出すために，照明手順又は照明設定情報を走らせるコントローラが，光源を制御するために必要とされる。これらの照明手順は，コントローラ中に在るか，又は例えばインターネットからダウンロードすることが出来る。後者の例は，例えば米国特許公開公報US2004/0252486（照明装置のためのダウンロード可能な事前にプログラムされた光のショウ）及び国際特許公開公報WO03/0775505（携帯電話にダウンロード可能な，携帯電話の照明の活性化のシーケンス）の文書中で開示されている。
【０００４】
しかしながら，上記の文書中で開示されたシステム及び方法の持つ欠点は，ダウンロードされた照明手順は利用者の照明システムに適さないかも知れないことである。例えば利用者の照明システムは，ダウンロードされた照明手順によって最適化された照明システムと比較して，異なる数の光源，異なるタイプの光源等々を有するかも知れない。また，利用者の照明システムが組込まれている環境が，ダウンロードされた照明手順によりどのように感知されるかに影響を及ぼすかも知れない。例えば，ダウンロードされたプリセットされている照明手順は，同手順が組込まれた利用者の照明システム上で動作するとき，大変明るい環境では，低過ぎる光強度を持っているとして感知されるかも知れない。
【０００５】
これはダウンロードされた照明手順は全て，動作する前に，及び利用者の指定の照明システム上に正しく表示される前に，利用者によって手動で又は照明システムの（US2004/0252486におけるような）コントローラによる自動での何れかで適応化されねばならないことを意味している。この局所的な適応化は勿論時間のかかるものであり，もしも間違って実行された場合，照明効果は所望のように，又は意図したようにはならない。
【課題を解決するための手段】
【０００６】
本発明の目的は，この問題を克服し，所望の照明効果を作り出すように照明システムを制御するための照明設定情報を提供するための改善された手段を供することである。
【０００７】
この目的及び他の目的は，以下の説明から明らかにされるであろうし，添付の請求項による方法及び装置によって達成されよう。
【０００８】
本発明の態様によれば，所望の照明効果を作り出すために，照明システムを制御する目的を持つ照明設定情報を提供するための方法が供され，当該方法は，
―    照明システムに関するデータをリモートサーバにおいて受信することと，
―    所望の照明効果に関する照明設定情報を生成し，受信した照明システムのデータに従って適応化することと，
―    生成した照明設定情報を，リモートサーバから照明システムへと送ることとを含む。
【０００９】
このように，照明システムが照明設定情報を受信したとき，当該照明設定情報は既に指定の照明システムに従って適応化されており，これによって所望の照明効果が正しく作り出される。この照明設定情報は，ポストダウンロードによる調整を，すぐには必要としない。国際特許公開公報WO2004/0252486中の照明システムのコントローラにて実行されるこの適応化作業は，本発明中ではリモートサーバに委任されている。
【００１０】
本照明システムは複数の光源，例えば照明用ダイオードを好ましくは有する。更に当該照明システムは，例えば携帯電話，電気髭剃り，電気歯ブラシ等々のような携帯型の電子機器中に提供されている照明システムであることが可能で，携帯電話では電話の受信又はメッセージの受領のような特定のイベントを表示するための照明システムであることが可能で，又は劇場，コンサートホール，ナイトクラブ等々での光のショウを創造するための照明システムであることが可能である。代替的には，この照明システムは，イルミネーション又は部屋での照明効果を創造するためのものである。
【００１１】
照明システムのデータは，照明システムのセットアップ，照明システムの環境，及び利用者の嗜好の少なくとも一つで有り得る。照明システムのセットアップデータは，当該照明システムの光源の数，位置，方向，ビーム形状の可能性，及び色域を含むことが出来る。照明システムの環境データは，当該照明システムが部屋又は同様の場所に提供されるときに真っ先に関連性を持ち，部屋のレイアウト，家具，カーテン，窓等々を含むことが出来る。利用者の嗜好データは，以前にダウンロードされた照明設定情報に対する利用者のフィードバックを含むことが出来る。照明システムのセットアップ，照明システムの環境，及び/又は利用者の嗜好によって適応化された照明設定情報は，標準の，カストマイズされていない照明設定情報に比べて，殆どの場合，より良い結果を作り出す。
【００１２】
「適応化された」照明設定情報は，利用者の嗜好によって意図された，及び/若しくは個別化された又は選択された指定の照明システム並びに同システムの環境に対してカストマイズされた及び/又は最適化された照明設定情報として解釈されねばならない。
【００１３】
ある実施例において，この照明システムデータは，リモートサーバに接続されたデータベース中に記憶されている。好ましくは，このデータベースは当該リモートサーバに組込まれている。このリモートサーバ及びデータベースは，複数の照明システムの様々な照明効果に対する照明設定情報を提供しているサービスプロバイダによって，対応することが可能である。このように，複数の異なる照明システムに関するデータが当該データベース中に蓄積されることが出来る。
【００１４】
本照明システムのデータは，照明システム及びリモート機器の一つから，通信ネットワークを介してデータベース若しくはリモートサーバへ送られる又はアップロードされることが出来る。このように，実施例においては，照明システムとリモートサーバとの間に双方向の通信が有る。照明システムデータはアップロードされることが出来，カストマイズされた照明設定情報はダウンロードされることが出来る。本照明システムは，例えばインターネット若しくは電話通信ネットワーク経由でリモートサーバへ直接接続されることが出来，又は本照明システムは，順次リモートサーバへと接続される，照明システムを制御している例えばコンピュータへと接続されることが出来る。
【００１５】
別の実施例においては，照明システムのデータは，販売拠点のような別のリモート機器からデータベース又はリモートサーバへとアップロードされる。当該照明システムの購入の際に，照明システムのデータが販売拠点からリモートサーバへ，最初にアップロードされることが可能である。
【００１６】
例えば当該照明システムが拡張された場合，又は他の場所へ移動された場合等に，いつでも，実在している照明システムのデータのアップデートのために，新たな照明システムのデータがアップロードされることが出来る。これは，この照明設定情報は最新の条件に従って常に適応化されるであろうという長所を提供する。
【００１７】
利用者の嗜好データの設定の目的及び/又はアップデートの目的のために，利用者が照明システムにダウンロードされた照明設定情報によって作り出される照明効果を下見出来，利用者が当該照明設定情報を承認又は否認出来るよう，斯様なデータは記録されることが出来る。利用者がこの照明制御設定を承認するか又は否認するかどうかは利用者の嗜好の記録であり，これがリモートサーバへアップロードされ，データベース中に蓄積されることが出来る。代替的には，又は補完するものとして，ダウンロードされた照明設定を利用者が手動で調節出来ることによって，この利用者の嗜好が記録されることが出来る。この手動調節が利用者の嗜好の記録である。利用者の基準データを設定するため/アップデートするために利用者の嗜好を記録することは，一方では利用者と当該照明システムと，他方では照明設定情報を提供しているリモートサーバ間の双方向の通信を特徴とする反復フィードバックプロセスとして働く。このフィードバックプロセスは，サービスプロバイダが利用者の選択時の挙動の記録を保持することを可能にし，利用者の過去の選択時の挙動を考察して，次回，設定情報を利用者に提供することを可能にする。例えば，このサービスプロバイダは特定の設定情報を，以前，同様の設定情報を否認した利用者に送るのを避けることが出来る。
【００１８】
ある実施例においては，（適応化された）照明設定情報が生成され，プリセットされた予定表に従って照明システムへと送られる。これは照明設定情報が，定期的に予約購入型ベースで照明システムへ送られることを可能にする。当該予定表は，サービスプロバイダによって，設定されることが出来る。
【００１９】
別の実施例では，前記（適応化された）照明設定情報が，所望の照明効果に対する利用者から受け取ったリクエストに基づいて生成される。即ち，この照明設定情報はオンデマンドで生成され，ダウンロードされる。このリクエストは，特定の照明効果に対するもの，又は特定のカテゴリ若しくは特定のタイプの照明効果に対するリクエストであることが可能である。更にこのリクエストは，照明システムから直接，送られることも出来，又は携帯電話のようなリモート機器から直接送られることも出来る。前記リモートサーバが当該照明システムに対して適応化されている正しい照明設定情報を引用出来，正しい照明システムに同設定情報をダウンロード出来るように，どの照明システムに対して当該リクエストが有効かを特定している認識番号又は同様のものを，このリクエストは含まねばならない。これに加え，このリクエストは照明システムに関するデータを有することが出来る。この照明システムの以前のデータがリモートサーバに蓄積されていない場合，これは好都合である。
【００２０】
更に別の実施例では，前記（適応化された）照明設定情報は以前に受信した照明設定情報に基づいて生成され，この以前に受信した照明設定情報は，所望の照明効果に関してはいるが，しかし異なる照明システムのデータに従って適応化されている。即ち，受信した照明設定情報は，別の照明システムに対して適応化されている。この態様においては，利用者は照明設定情報を別の利用者にリモートサーバを介して送ることが出来，リモートサーバは照明設定情報を別の利用者の指定の照明システムに従って適応化する。
【００２１】
本発明のもう一つの態様によれば，所望する照明効果を作り出すために，照明システムを制御する目的を持つ照明設定情報を提供するリモートサーバが供され，このリモートサーバは，
―    当該照明システムに関するデータを受信する手段と，
―    所望の照明設定情報に関する，受信した照明システムのデータに従って適応化された照明設定情報を生成する手段と，
―    生成された照明設定情報を当該照明システムへと送る手段とを有する。この照明システムのデータは，リモートサーバに組込まれたデータベース中へ好ましくは蓄積される。このリモートサーバは，本発明の，以前に議論された態様と同様の長所を提供する。
【００２２】
ここで，本発明の現行での好ましい実施例を示している添付の図を参照して，本発明のこれらの態様及び他の態様が，より詳細に説明されよう。
【発明を実施するための最良の形態】
【００２３】
図1は二つの照明システム10a及び10bを示している。これらの照明システムは，部屋の中で雰囲気のある照明効果若しくはイルミネーションを作り出すため，又は電話の受信若しくはメッセージの受領のような特定のイベントを表示するために携帯電話のような携帯型の電子装置に提供されることが出来る。
【００２４】
各照明システム10は，コントローラ14に接続された複数の光源12を有する。コントローラ14は，所望の理路整然とした及び/又は組織的な照明効果を作り出すための照明設定情報によって，光源12を制御する。光源12は，照明用ダイオード（LED）光源で有り得る。
【００２５】
本照明システム10aは，インターネット，有線又は無線の電話通信回線ネットワーク等々のような通信リンク18を介してリモートサーバ16へと直接接続されている。この照明システム10aは，利用者がリモートサーバ16との通信を管理出来るようにするための適切なユーザ・インターフェイス（図示されず）を，好ましくは含んでいる。
【００２６】
一方，照明システム10bは，コンピュータ20と接続されていて，コンピュータは通信リンク18を介してリモートサーバ16へと順次接続されている。このコンピュータ20は前記照明システム10bとリモートサーバ16との間に介在して動作し，そこでの両者の間の通信を管理するために使用されている。
【００２７】
リモートサーバ16は，照明システム10aや10bを含む複数の特定の照明システム（「照明システムのデータ」）に関するデータを蓄積し，当該リモートサーバが照明設定情報を提供している，データベース24を有する。この照明システムのデータは，（照明システムの光源の数，位置，方向，ビーム形状の可能性，及び/又は色域を含んでいる）照明システムのセットアップデータと，（部屋のレイアウト，家具，カーテン，窓等の）照明システムの環境データと，（例えばフィードバックに基づく）利用者の嗜好データとを含むことが可能である。このリモートサーバ16は，様々なデータを送受するための適切な手段も有する。
【００２８】
基本的な動作モードでは，照明設定情報は通信リンク18を介して前記リモートサーバ16から照明システム10へと送られる。この照明設定情報が照明システム10へダウンロードされたとき，照明効果を作り出すためにダウンロードされた照明設定情報に従って，コントローラ14は光源12を制御することが出来る。最後に，利用者が幾つかの異なる照明効果間を切り換え出来るよう，照明システムのための幾つかの照明設定情報が局所的に蓄積されることが出来る。
【００２９】
本発明によれば，リモートサーバは，送るに先立って指定の照明システムに関する何らかのデータを受信し，取り出された照明システムのデータに従って適応化された照明設定情報を生成する。即ち，この情報が照明システムへ送られる前に，照明設定情報は，照明システムのセットアップ，照明システムの環境，及び/又は対象となっている照明システムに対する何らかの利用者の嗜好に従って最適化される。好ましい実施例においては，本照明システムのデータは，内部のデータベース24から受信される。
【００３０】
照明システム10aは，照明システム10bと比較して，異なる個数の光源及び/又は異なるタイプの光源を有することが可能である。これは，同一の標準化された照明設定情報が照明システム10a及び照明システム10bに送られねばならない場合，作り出された照明効果はこの二つのシステムで全く異なって再現されるかも知れないことを意味している。少なくとも照明システムの一つでは，この照明効果は所望されたようには恐らく作られていないであろうし，これゆえ，所望の照明効果を得るために，利用者又は照明システムがダウンロードされた照明設定情報を調節することが必要であろう。しかしながら本発明によれば，データベース24中に在る関連する照明システムデータに基づいて，この照明設定情報は送る前に，各々の指定の照明システム10a及び10bに従ってカストマイズされる。この結果として，この特定の事例においては，二つの異なる照明設定情報は同一の照明効果のために送られ，ポストダウンロードによる照明設定情報の調整をすぐには必要としない。
【００３１】
特定の照明システムに関するデータは，例えばこの照明システムが購入された時点でデータベース24中へ最初に入力される。データは販売拠点のようなリモート機器26からアップロードされる。この照明システムが拡張されたり，他の場所へ移動されたり等々の場合には，データベース24中のデータは，事後にアップデートされる。新たな照明システムのデータは，照明システム10からリモートサーバ16のデータベース24へ送ることが出来る。
【００３２】
利用者のフィードバック機能もまた照明システムに関連して提供されることが出来，利用者の嗜好のデータがデータベース24へ記憶され，アップデートされることが出来る。利用者の嗜好のデータは照明設定情報を適応化するために，このとき利用されることが出来る。利用者のフィードバック機能は次のように実行されることが出来る。
【００３３】
照明設定情報が照明システムにダウンロードされたとき，この設定は照明システム上で実行され，利用者は，彼又は彼女の指定の環境にて，彼又は彼女の指定の照明システムで対応する照明効果を体験出来る。この照明効果を下見した後で，この利用者は照明効果に関するこの照明設定を承認又は否認することが出来る，すなわち，彼又は彼女はダウンロードされた照明設定情報を維持したいか否かを決定することが出来る。利用者が当該照明制御の設定を承認するか否認するかは利用者の嗜好の記録であり，このデータはデータベース24へ蓄積される。このデータは，通信リンク18を介して送られることが出来る。このように，照明設定情報が照明システムに，次回提供されるときの利用者嗜好を考慮するために，サービスプロバイダは利用者の選択挙動の記録を保持する。
【００３４】
照明設定情報を次回提案するときは，利用者の要求，嗜好及びスタイルに合わせるために既に知られている設定に近づけるよう，新たな照明設定情報を選択することが出来（利用者が例えば白色光を作り出すオリジナルの設定を持っていて，彼又は彼女が若干より明るいか又は青みのかかった光の提供を認めるのであれば，彼又は彼女はより明るい又は青みがかった光を作り出す設定を受け入れることが出来る），又は利用者は（既に用いられた照明設定情報とは遠く離れた）彼又は彼女がやはり好むであろう完全に異なる照明効果を作り出す他の照明設定情報を受け入れることも出来る。新たな照明設定情報が以前の照明設定に「近い」のか，又は同設定から「遠い」のかは，色座標によって規定されることが出来，「近い」は
2009507335.tif 000003
好ましくは
2009507335.tif 000004
にて規定され，「遠い」は
2009507335.tif 000005
好ましくは
2009507335.tif 000006
最も好ましくは
2009507335.tif 000007
にて規定されている。
【００３５】
代替的には，又は補完するものとしては，利用者が受領した照明設定情報を手動で調節が出来ることにより，利用者の嗜好が記録されることが可能である。手動による調節は，利用者の嗜好の記録であり，このデータもまたデータベース24へ入力することが出来る。
【００３６】
照明設定情報が生成され，プリセットされた予定表に従って照明システムへと送られる。これは照明設定情報が定期的に予約購入型ベースで照明システムへ送られることを可能にする。この予定表は，リモートサーバ16及びデータベース24に対応しているサービスプロバイダによって設定されることが出来る。
【００３７】
代替的には照明設定情報は，所望の照明効果に対する利用者から受信したリクエストに基づいて生成されることが出来る。このリクエストは照明システム10から直接，又は携帯電話のようなリモート機器26から直接送られてくる。前記リモートサーバが，当該照明システムに対して適応化されている正しい照明設定情報を引用出来，正しい照明システムに同設定情報がダウンロード出来るように，どの照明システムに対して当該リクエストが有効かを特定している認識番号又は同様のものを，このリクエストは含まねばならない。更にこのリクエストは，特定の照明効果のため，又は特定のカテゴリ若しくはタイプの照明効果のためであることが可能である。後者の場合，事前に規定された分類がリモートサーバと利用者との間の通信で使われることが出来る。この分類は上述の認識番号と共に送られる。分類の例として，
―  人（人は各々異なる嗜好を持っているので）
―  部屋（居間，台所，寝室，風呂場等々）
―  サブシステム（部屋に複数のサブシステムが組込まれている場合）
―  状況（朝食，夕食，昼食，TVを見る，来客，読書，音楽を聴く，ゲームをする，パーティ，掃除等々）
―  季節的状況（冬，春，夏，秋，クリスマス，誕生日，バレンタインディ等々）
【００３８】
このように，新たな照明設定が要求されたとき，例えば利用者は夏季に居間でパーティをするための照明効果を探しているとの，興味の対象となる分類を利用者が送信し，これによって新たな照明設定情報がリモートサーバ内に生成され，この設定情報は送信された分類に基づき，利用者の指定の照明システムに適応化され，そして利用者の照明システムへと送られる。
【００３９】
また別の代替例として，照明設定情報は以前に受け取った照明設定情報に基づいて生成されることが出来，この以前に受け取った照明設定情報は，所望の照明効果に関係しているが，しかし異なる照明システムのデータに従って適応化されている場合がある。この態様では，利用者は照明設定情報をリモートサーバを介して別の利用者に送ることが出来，当該リモートサーバは，他の利用者の指定の照明システムに従って，この照明設定情報を適応化する。例えば，システム10aに対して適応化され，システム10aに局所的に蓄積されている，ある照明効果のための照明設定情報が，この照明効果がシステム10bで再現出来るよう，システム10aからシステム10bへと送られることが望ましい。これを実現するために，この照明設定情報がシステム10aからリモートサーバ16へと送られる。リモートサーバ16では，システム10aに対する受信した照明設定情報に基づいて，特定の照明効果に対する照明設定情報がシステム10bに対して生成される。この照明設定情報はリモートサーバからシステム10bへと，次に送られる。この設定情報は特定の照明システムに対して適応化されているので，システム10bがシステム10aと同一でなくとも，この設定はシステム10b上で正しく働く。
【００４０】
当業者は，本発明は上で説明された好ましい実施例に決して限定されていないと理解する。これに反して，添付の請求項の範囲内で，沢山の修正及び変更が可能である。例えば，図1には二つの照明システムのみが例示されているが，リモートサーバは複数のより異なる照明システムを扱うことが出来る。
【図面の簡単な説明】
【００４１】
【図１】本発明の実施例による方法を実現するためのシステムのブロック線図を示す。
【図１】
2009507335.tif 000008
【国際調査報告】
2009507335.tif 000009
2009507335.tif 000010
2009507335.tif 000011